(57)【特許請求の範囲】
【請求項１】
伝送路を介して供給されるシリアルディジタルデータを受信するディジタルデータ受信装置であって、
上記シリアルディジタルデータを受信しデータ処理してパラレルディジタルデータに変換する受信回路と、
上記受信回路から供給される上記パラレルディジタルデータの特定パターンの存在を検出し、当該特定パターンによって無信号入力状態を検出する無信号検出回路とを備えることを特徴とするディジタルデータ受信装置。
【請求項２】
上記特定パターンとは、上記シリアルディジタルデータをパラレルディジタルデータに変換する際に予約コードとして禁止されているうちの特定のワードデータであることを特徴とする請求項１記載のディジタルデータ受信装置。
【請求項３】
上記ワードデータとしてはオール０のデータであり、上記特定のパターンとは連続するＮワード（Ｎは３以上の整数）分のパターンであることを特徴とする請求項２記載のディジタルデータ受信装置。
【請求項４】
上記受信回路には、少なくともＮＲＺ−Ｉ逆変換回路を含み、当該ＮＲＺ−Ｉ逆変換回路に入力されるデータがオール０若しくはオール１であったときでも、上記ＮＲＺ−Ｉ逆変換回路から出力されるＮＲＺデータとしてはオール０となるようにしたことを特徴とする請求項１記載のディジタルデータ受信装置。
【発明の詳細な説明】
【０００１】
【産業上の利用分野】
この発明は、シリアルディジタルインタフェース（ＳＤＩ）などに適用して好適なディジタルデータ受信装置、特に受信した特定のパターンデータを用いて無信号状態を正確に検出できるようにしたディジタルデータ受信装置に関する。
【０００２】
【従来の技術】
放送規格の一種であるＳＭＰＴＥ２５９Ｍ規格は、業務用・放送局用ビデオ機器で使用される、ビデオ信号のシリアルディジタルインタフェース（ＳＤＩ）を規定している。
【０００３】
その内容の概要を説明すると、それぞれ１０ビットにディジタル化されたパラレルな輝度信号Ｙおよび色差信号Ｃｂ，Ｃｒが、Ｃｂ，Ｙ，Ｃｒ，Ｙの順に並べられ、それらに対してタイミング基準信号ＳＡＶ（Ｓｔａｒｔ  ｏｆ  Ａｃｔｉｖｅ  Ｖｉｄｅｏ）およびＥＡＶ（Ｅｎｄ  ｏｆ  Ａｃｔｉｖｅ  Ｖｉｄｅｏ）が付加される。このパラレル信号をＬＳＢ先行でパラレル／シリアル変換し、さらにスクランブルドＮＲＺ−Ｉ信号に変換して、２７０［Ｍｂｉｔ／ｓｅｃ］のシリアルディジタルビデオ信号として伝送するようにしたものである。
【０００４】
周知のようにこのＳＤＩを利用すればビデオ信号を劣化なく目的地まで伝送することができる。さらに受信したこのビデオ信号を利用すればディジタルＶＴＲなどのディジタルビデオ機器を使用することによって、番組制作におけるビデオの画質を大幅に改善することができる。
【０００５】
【発明が解決しようとする課題】
ところでこのようなＳＤＩシステムでは、ラウターなどの切り替え装置を接続してネットワーク化すると、各入力信号の接続が正しく行なわれているかどうかを確認する作業が必要になる。この接続状態の確認は入力信号の有無を監視することによって行なうことができる。回線接続が誤っているようなときは回線ケーブルを交換し、もし入力信号がなければコネクタの接続や機器の電源投入を再確認する必要がある。
【０００６】
このような確認作業を行なう場合に考えられる手法としては、主に以下に示す２通りの手法が考えられる。
（１）ＢＮＣコネクタ（同軸コネクタ）に供給された入力信号レベルを基準にして確認する。
（２）上述したＥＡＶなどのように周期的に挿入されている基準符号を検出して、入力の存在を検出する。
【０００７】
しかし（１）の検出手段では、同軸ケーブルによる伝送損失が大きくなったときのように、まだ信号が受信されているにも拘らず信号入力がないものと誤った判断するおそれがある。これは同軸ケーブル長が長くなるほど伝送損失が増えるから、この誤判断は使用ケーブル長が長いときに発生しやすくなる。
【０００８】
（２）の検出手段を採用した場合には、伝送誤りによってその符号が検出されなくなると、無信号と誤判断してしまうおそれがある。
【０００９】
そこでこの発明ではこのような従来の課題を解決したものであって、入力信号の無入力状態を正確に判別できるようにしたディジタルデータ受信装置を提案するものである。
【００１０】
【課題を解決するための手段】
上述の課題を解決するため、請求項１に記載したこの発明においては、伝送路を介して受信されたシリアルディジタルデータが受信回路に供給されてデータ処理を経たパラレルディジタルデータに変換されると共に、
このパラレルディジタルデータが無信号検出回路に供給されて特定パターンの存在が検出され、
この特定パターンによって無信号入力状態を検出するようにしたことを特徴とする。
【００１１】
【作用】
特定パターンとは、ディジタルデータに変換する際に予約コードとして禁止されているうちの特定のワードデータであって、より具体的にはワードデータとしてはオール０のデータであり、特定のパターンとは連続するＮワード（Ｎは３以上の整数）分のパターンである。
【００１２】
なんらかの信号が入力しているときはオール０のワードデータが連続してＮワード出力されることはあり得ないので、Ｎワード連続してオール０が出力されたときは無信号状態と判別してその旨を表示する。
【００１３】
【実施例】
続いて、この発明に係るディジタルデータ受信装置の一例を上述したＳＤＩシステムの受信系に適用した場合につき、図面を参照して詳細に説明する。
【００１４】
図１はこの発明に係るディジタルデータ受信装置１０の概略図を示す。同軸ケーブルによって伝送されたシリアルディジタルデータ（ＳＤＩ信号）は受信端子１２に供給されて後述する抵抗器で終端されたのちＳＤＩ信号受信回路２０に供給される。ＳＤＩ信号受信回路２０では種々の信号処理を経てワード単位のパラレルディジタルデータＰＤに変換される。
【００１５】
データのパラレル変換処理と同時にデータ処理を行なうためのパラレルクロックＰＣＫも同時に生成され、これらが受信信号処理回路１１０に供給されて元のビデオ信号や補助信号（音声信号など）を抜き出して、Ｄ／Ａ変換などそれぞれ必要な信号処理が行なわれる。
【００１６】
この発明ではこのような信号処理系の他にさらに無信号検出装置１２０が設けられる。そのため上述したパラレルディジタルデータとパラレルクロックが無信号検出回路１３０に供給されてパラレルディジタルデータの特定パターン（ワードパターン）が検出される。特定パターンとはビデオ信号をディジタル信号に変換するときに使用してはならないワードパターンであり、詳細は後述する。
【００１７】
無信号状態が検出されるとその検出信号がシステムコントローラ１４０に供給され、例えば無信号を示す表示信号が生成されてこれが表示部（ＬＣＤなど）１７０に供給されて、無信号入力状態であることがオペレータに知らしめられる。
【００１８】
続いて各部の内容を詳細に説明する。
図２はＳＤＩ信号受信回路２０の具体例を示す。
【００１９】
入力ＢＮＣコネクタ（同軸コネクタ）１２に入力されたＳＤＩ信号は、終端抵抗１４で終端される。ＳＤＩ信号はケーブル補償回路３０で同軸ケーブルの高域伝送損失による波形劣化が補償され、量子化帰還回路４０で低域遮断による直流成分歪みが補償され、次の２値判別回路５０で２値の判別データが生成される。ここに、２値判別回路５０を含めて量子化帰還回路４０と定義することもできる。
【００２０】
判別データはクロック再生回路６０でデータに同期したこの例では２７０ＭＨｚのシリアルクロックが再生され、このシリアルクロックでデータがラッチされてシリアルデータが復元される。
【００２１】
シリアルデータはＮＲＺ−Ｉ逆変換回路７０で送信側で行なわれたＮＲＺ−Ｉ変換の逆変換処理が行なわれ、その後逆スクランブル回路８０で送信側で行なわれたスクランブル処理の逆変換処理が行なわれてＮＲＺデータが復元される。
【００２２】
ＮＲＺデータはタイミング基準信号（ＴＲＳ信号）の検出回路９０に供給されて、ＮＲＺデータよりタイミング基準信号であるＥＡＶデータ（ワード同期データ）の固定パターン「３ＦＦ，０００，０００（ｈ）」（ｈはヘキサデシマル表示）が検出される。ＴＲＳ検出回路９０で検出されたワード同期に合わせて、シリアル／パラレル変換回路１００ではＮＲＺデータ（２７０ＭＨｚのシリアルディジタルデータ）が１０ビット２７ＭＨｚのパラレルデータに変換される。
したがって変換回路１００からはワード単位のパラレルデータとパラレルクロック（２７ＭＨｚ）がそれぞれ出力される。
【００２３】
図２に示すケーブル補償回路３０では以下の処理を行なっている。
一般に同軸ケーブルの伝送損失は同軸ケーブルの距離に比例し、信号周波数の平方根に比例する、いわゆるルートｆ特性を有する。そのため受信端のケーブル補償回路３０では受信したＳＤＩ信号の伝送損失から伝送距離を算出し、その伝送距離に相当する伝送損失に対して逆特性をかけることによって、ケーブル伝送による高域損失を補償する、いわゆる自動等化を実現している。
【００２４】
上述したＳＤＩ信号そのものは直流領域から信号成分が存在する。一方２７０Ｍｂｓのデータを扱うＳＤＩシステムでは、アナログ信号処理回路が交流結合で接続されている。また送信側の出力信号も交流結合で出力される。その結果、これらの交流結合によって直流成分が遮断されるためにケーブル補償回路３０で同軸ケーブルの高域伝送損失が補償された高域補償信号は低域でのうねりが生じている。これを放置すると伝送誤りを起こす。
【００２５】
この遮断された直流成分は図３に示す量子化帰還回路４０によって再生される。図３において、２値判別回路５０で２値化（量子化）された判別データは、上述した交流結合の結果喪失されたと同等の通過帯域特性を有する低域通過フィルタ（ＬＰＦ）４６を通ることで、遮断された直流成分が再生される。この再生直流成分が加算器４２で入力した高域補償信号に加算されることによって、低域のうねりが相殺された低域補償信号が得られる。
【００２６】
図４はクロック再生回路６０の具体例を示す。ここには２７０ＭＨｚで発振する可変発振器（例えばＶＣＯ）６２が設けられ、その出力は位相比較回路６４で例えば入力判別データの立ち上がりエッジと比較されて位相比較信号が生成される。位相比較信号は低域通過フィルタ６６を経てＶＣＯ６２に帰還されることにより、ＶＣＯ６２が入力判別データに同期した２７０ＭＨｚのシリアルクロックを発生するように制御される。
【００２７】
判別データはさらにフリップフロップ６８で、２７０ＭＨｚシリアルクロックでラッチされる。このラッチ処理でシリアルクロックに同期したシリアルデータが復元され、シリアルクロックと共に後続の回路へ出力される。
【００２８】
図５には受信側において用いられるＮＲＺ−Ｉ逆変換回路７０の構成を示す。２７０Ｍｂｓのデータを扱うＳＤＩシステムでは、アナログ信号処理回路において反転増幅器が多用されるため常に信号の極性に留意しているのは信号処理上煩わしい。そこで送信側ではＮＲＺ−Ｉ変換することによってデータを反転させて極性フリーとなるようにしている。
【００２９】
そのため受信側ではＮＲＺ−Ｉ逆変換回路７０を使用してＮＲＺ−Ｉデータを元のＮＲＺデータに復元している。逆変換回路７０は周知のように入力データを１クロック分遅延する遅延素子７２と、遅延出力と非遅延出力を排他的論理和するイクスクルーシブオア回路７４で構成される。遅延素子７２としてはＤ形フリップフロップなどを利用できる。
【００３０】
ＳＤＩ伝送系ではビデオ信号の相関性などによって、シリアルデータ信号のスペクトルに偏りが生ずることがある。そこで送信側ではスクランブル回路でデータを疑似ランダム化してスペクトルの偏りを防いでいる。そのため受信側に逆スクランブル回路８０が使用されている。
【００３１】
逆スクランブル回路８０も周知の構成であって複数この例ではトータル９個の単位遅延素子（１シリアルクロック分）８２と２個のイクスクルーシブオア回路８４，８６で構成され、イクスクルーシブオア回路８６よりスクランブルが解かれた元のデータが得られる。
【００３２】
ＳＤＩ伝送系で伝送されるビデオ信号および補助信号は、２７ＭＨｚの１０ビットパラレル信号で処理される。そのためシリアルディジタル信号からワード同期を検出して、シリアルディジタル信号から１０ビットパラレルディジタル信号が再生される。そのワード同期の基準としてＥＡＶが用いられる。ＥＡＶはライン毎に挿入される４ワードのタイミング基準信号で、そのうち最初の３ワードは、「３ＦＦ，０００，０００（ｈ）」の固定パターンである。
【００３３】
この固定パターンを検出してパラレル変換処理が行なわれる。図７はＥＡＶ検出とパラレル変換処理の具体例である。
【００３４】
ＬＳＢ先行で入力されたＮＲＺデータは、各１０ビットの３段のシフトレジスタ９１，９２，９３に順に入力される。シフトレジスタ９１の１０ビット出力はインバータ９４を経てアンドゲート９５に、シフトレジスタ９２の１０ビット出力はインバータ９６を経てアンドゲート９７に、そしてシフトレジスタ９３の１０ビット出力は直接アンドゲート９８に入力される。
【００３５】
アンドゲート９５はシフトレジスタ９１の１０ビット出力が「０００（ｈ）」のときにパルスが出力され、次のアンドゲート９７はシフトレジスタ９２の１０ビット出力が「０００（ｈ）」のときにパルスが出力される。最後のアンドゲート９８はシフトレジスタ９３の１０ビット出力が「３ＦＦ（ｈ）」のときにパルスが出力される。その結果アンドゲート９９はシフトレジスタ９１，９２，９３の出力が「３ＦＦ，０００，０００（ｈ）」となったときに、ＴＲＳ検出パルスが出力される。
【００３６】
次段のクロック分周回路１０２では、２７０ＭＨｚのシリアルクロックが１／１０に分周されて、２７ＭＨｚのパラレルクロックが生成される。このクロック分周回路１０２はＴＲＳ検出パルスでリセットされるからＴＲＳ検出パルスに同期している。入力したＮＲＺデータはパラレル変換回路１００を構成する１０ビットのシフトレジスタ１０４に入力される。シフトレジスタ１０４の１０ビット出力は、１０ビットのフリップフロップ１０６に入力され、パラレルクロックでラッチされて２７ＭＨｚの１０ビットパラレルデータに変換される。
【００３７】
ところで、この発明ではシリアルディジタル信号入力が無信号状態であると、復号されたパラレルディジタル信号がオール０（０は論理値）の連続データとなることに着目して無信号状態を検出するものである。
【００３８】
換言すれば、無信号のときオール０となること（ａ）と、無信号のときだけオール０が３ワード以上連続すること（ｂ）を利用して無信号状態が検出される。（ａ）とは次のようなことである。
【００３９】
ＢＮＣコネクタ１２に入力信号が印加されないと、入力端に発生する電位は終端抵抗１４の熱雑音と機器雑音だけである。この雑音がケーブル補償回路３０に入力すると自動等化処理部（図示はしない）ではケーブル長が相当長いと判断して最大利得に制御する。利得には上限があるため、出力される高域補償信号も雑音レベルとなる。
【００４０】
量子化帰還回路４０には無信号状態の雑音レベルが入力される。一方２値判別回路５０では信号が切断される直前の状態、あるいは電源立ち上げ時の雑音によって、出力判別データは０あるいは１（１は論理値）の何れかの状態となる。仮に出力判別データが１の状態であれば、低域通過フィルタ４６を経た再生直流成分も１の状態であり、その再生直流成分が加算器４２で雑音レベルの高域補償信号に加え合わされることによって、２値判別回路５０にも１の状態が入力され、その結果判別データは以降常に１の状態を維持する。あるいは逆に、判別データの初期状態が０であれば、上記と０、１が反転した経緯で判別データは以降常に０の状態を維持することになる。
【００４１】
したがって無信号状態ではクロック再生回路６０にオール１あるいはオール０の信号が入力される。この状態ではデータの立ち上がりエッジが存在しないために位相比較回路６４が動作せず、ＶＣＯ６２は自走して２７０ＭＨｚのシリアルクロックを発生し続ける。フリップフロップ６８もオール１あるいはオール０のデータを出力し続ける。
【００４２】
こうして無信号入力状態ではＮＲＺ−Ｉ逆変換回路７０には常に、オール１あるいはオール０のデータが入力される。仮にオール１のデータが入力されると、その出力は図５の排他的論理和処理によりオール０となる。これとは逆にオール０のデータが入力されると、その出力は同じく排他的論理和処理によりオール０となり、何れの場合でもオール０が出力される。
【００４３】
逆スクランブル回路８０にはオール０のデータが入力されるのでその出力データ（ＮＲＺデータ）も０である。ＮＲＺデータとしてオール０のデータが入力されると、ＴＲＳ検出回路９０ではＥＡＶが検出されないためＴＲＳ検出パルスが出力されない。従ってシリアル／パラレル変換回路１００ではクロック分周回路１０２が自走して２７ＭＨｚパラレルクロックを生成し続ける。さらにＮＲＺデータがオール０であるため、シフトレジスタ１０４も常にオール０となり、１０ビットフリップフロップ１０６もオール０をラッチしてオール０の１０ビットデータをパラレルデータとして出力し続ける。
以上の動作から無信号状態では常にオール０データが出力されることが判る。
【００４４】
次に上述した（ｂ）の内容を説明する。
図８に伝送されるビデオ信号のデータ構造を示す。
コンポーネントビデオ信号Ｙ，Ｒ−Ｙ，Ｂ−ＹはＩＴＵ−Ｒ６０１勧告に基づいて、輝度信号Ｙは１３．５ＭＨｚ、色差信号Ｒ−Ｙ，Ｂ−Ｙは６．７５ＭＨｚの直交したサンプリングクロックを使用して、その有効領域の信号がそれぞれ１０ビットのディジタルビデオデータに変換される。こうして生成されたＹ，Ｒ−Ｙ，Ｂ−Ｙの各ディジタルビデオデータは、図８に示すように、Ｂ−Ｙ，Ｙ，Ｒ−Ｙ，Ｙの順に並べられる。このとき１０ビットのディジタルビデオデータは、「０００〜００３（ｈ）」および「３ＦＣ〜３ＦＦ（ｈ）」の８種類のコードが、ＴＲＳ検出のための予約語として禁止される。こうして並べられたディジタルビデオデータ列に図８に示すようなＥＡＶおよびＳＡＶが付加される。
【００４５】
ＥＡＶ、ＳＡＶはそれぞれ、「３ＦＦ，０００，０００，ＸＹＺ（ｈ）」の構造を持つタイミング基準信号で、最初の３ワードは固定パターンである。４ワード目のＸＹＺ（ｈ）で、ＥＡＶ／ＳＡＶの区別や、フィールドのタイミングなどが指定される。ＸＹＺワードの下位２ビットは０に、ＭＳＢは１に固定されている。
【００４６】
こうして生成されたディジタルビデオデータ列が、ＬＳＢ先行でシリアル化され、スクランブルドＮＲＺ−Ｉ変換されて、シリアルディジタルデータとして伝送される。
【００４７】
図８においてＥＡＶとＳＡＶの間の領域は補助信号領域で、オーディオ信号などを補助信号パケットとして多重化して伝送することができる。図９に補助信号パケットのデータ構造を示す。
【００４８】
補助データパケットは、ＡＤＦ（Ａｎｃｉｌｌａｒｙ  Ｄａｔａ  Ｆｌａｇ）で開始される。ＡＤＦは、「０００，３ＦＦ，３ＦＦ（ｈ）」の３ワードで構成される固定パターンである。ＡＤＦに続けて、補助データの種類を示すＤＩＤ（Ｄａｔａ  ＩＤ）、パケットの連続性を示すＤＢＮ（Ｄａｔａ  Ｂｌｏｃｋ  Ｎｕｍｂｅｒ）、補助データのワード数を示すＤＣ（Ｄａｔａ  Ｃｏｕｎｔ）が送られる。これらのＤＩＤ，ＤＢＮ，ＤＣはいずれも８ビットで構成され、９ビット目はパリティ、１０ビット目はその反転が付加される。
【００４９】
ＤＣに続いて、最大２５５ワードの補助データがＵＤ（Ｕｓｅｒ  Ｄａｔａ）として送られる。ＵＤは９ビット以内で構成され、１０ビット目は９ビット目の反転が付加される。ＵＤに続いて最後にＣＳ（Ｃｈｅｃｋ  Ｓｕｍ）が送られる。ＣＳは９ビットで構成され、１０ビット目は９ビット目の反転が付加される。
【００５０】
以上のことから、ディジタルビデオデータ列においては、ＥＡＶ／ＳＡＶ以外には０００（ｈ）というデータは、予約コードとして禁止されているために出現しない。また補助データパケットにおいてもＡＤＦ以外のデータは、すべて９ビット以内で１０ビット目は９ビット目の反転が付加されるため、０００（ｈ）というデータは出現しない。言い替えると、ＥＡＶ／ＳＡＶあるいはＡＤＦ以外には０００（ｈ）を含む予約コードが出現しないように、ＳＤＩフォーマットは構成されている。
【００５１】
従って、正常な信号が入力されている時には、ＳＤＩ信号受信回路のパラレルデータには、ＥＡＶ／ＳＡＶおよびＡＤＦの２ワード連続した０００（ｈ）データ以外には、０００（ｈ）データは出現しない。一方無信号入力状態では、ＳＤＩ信号受信回路２０からは常にオール０（０００（ｈ））データが出力される。
【００５２】
そこでこの発明ではＳＤＩ信号受信回路２０より出力されるパラレルデータから、３ワード以上連続する０００（ｈ）データを検出して無信号入力状態を検出するようにしている。
【００５３】
図１０は図１に示した無信号検出回路１３０の具体例を示す。入力された１０ビットのパラレルデータは、それぞれインバータ１３２で反転されてアンドゲート１３４に入力される。アンドゲート１３４はパラレルデータが０００（ｈ）であるときだけゼロ検出パルスを出力する。ゼロ検出パルスは、３クロックのシフトレジスタ１３６に入力される。シフトレジスタ１３６の各出力Ｑ１，Ｑ２，Ｑ３は同一のアンドゲート１３８に入力される。ゼロ検出パルスが３クロック以上連続すると、出力Ｑ１，Ｑ２，Ｑ３がいずれも”Ｈ”となるからこのとき初めてアンドゲート１３８からは無信号検出パルスが出力される。この無信号検出パルスを利用して警告表示などが行なわれる。
【００５４】
上述したように、ＳＤＩデータ系列には、０００（ｈ）データは３ワード以上連続して出現しないので、図１０の無信号検出回路１３０では３ワード以上連続する０００（ｈ）データを検出している。したがって一般にデータ系列に０００（ｈ）ワードがＮワード以上連続して出現しないシステムであれば、この回路１３０はＮクロックのシフトレジスタとＮ入力のアンドゲートで構成できることになる。
【００５５】
ディジタルビデオ機器も最初から全てディジタルでシステムを構築できるとは限らない。ユーザーによっては、段階的にディジタル機器を揃えていく場合もある。このような使用方法も考慮してディジタルビデオ機器には、ディジタル信号の入出力の他に、アナログ信号の入出力も用意されている場合がある。従来のアナログシステムの中でディジタルビデオ機器を使用するユーザーは、このアナログ入出力を利用することができる。
【００５６】
図１１に、そのようなディジタル入力とアナログ入力を備えたディジタルビデオ装置の構成の一例を示す。同図においてＳＤＩ信号受信回路２０から１０ビットのパラレルデータが出力され、このパラレルデータが無信号検出回路１３０に入力されて無信号検出信号が出力される。入力ＢＮＣコネクタ１４０から入力されたアナログビデオ信号はアナログビデオ入力処理回路１５０に入力され、アナログ／ディジタル変換されて１０ビットのビデオデータが出力される。
【００５７】
入力選択回路１６０はＳＤＩ信号受信回路２０から出力されるパラレルデータと、アナログビデオ入力処理回路１５０から出力されるビデオデータを選択して、後段の受信信号処理回路１１０へ出力する。このとき入力選択回路１６０はＳＤＩ信号が入力されている時には自動的にＳＤＩ信号受信回路２０から出力されるパラレルデータが選択され、ＳＤＩ信号が入力されていない時には自動的に、アナログビデオ入力処理回路１５０から出力されるビデオデータが選択される。これによって信号の入力状態を判断して自動的に入力信号を選択することができる。
【００５８】
上述した各実施例はＳＭＰＴＥ２５９Ｍ規格によるコンポーネントビデオ信号のＳＤＩ伝送系に関して記述したが、ＮＴＳＣ方式やＰＡＬ方式などのコンポジットビデオ信号のＳＤＩ伝送系にもこの発明を適用できる。これはクロック周波数が異なる点と、伝送データ系列に出現しない０００（ｈ）データの連続ワード数が４ワード以上になる点以外はコンポーネントビデオ信号と全く同じだからである。この発明はＨＤビデオ信号のＳＤＩ伝送系にも同様に適用することができる。
【００５９】
この発明はさらにビデオ信号のＳＤＩ伝送系に限らず、ＳＤＤＩ（シリアルディジタルデータインタフェース）などのデータ伝送系にも適用できる。また本実施例は、同軸ケーブルを用いたデータ伝送に関して記述したが、光ファイバーや無線通信など、他の伝送路を使用したデータ伝送系にも適用することができる。
【００６０】
【発明の効果】
以上のように、この発明に係るディジタルデータ受信装置では、データ伝送系には出現しない特定のパターンを識別して無信号状態を判別するようにしたものである。
【００６１】
これによれば、伝送信号そのものを何ら変更することなく、換言すれば送信系の設計変更を伴うことなく、現行のシリアルディジタルインタフェースシステムのままで、無信号状態を正確に検出できる特徴を有する。受信回路系に付加される無信号検出装置も極めて簡単な構成である。したがってこの発明は多数のシリアルディジタル入力系を多数ネットワークする必要のあるデータ伝送処理システムに適用して極めて好適である。
【図面の簡単な説明】
【図１】この発明に係るディジタルデータ受信装置の概要を示す系統図である。
【図２】ＳＤＩ信号受信回路の一例を示す系統図である。
【図３】量子化帰還回路の一例を示す系統図である。
【図４】クロック再生回路の一例を示す系統図である。
【図５】ＮＲＺＩ逆変換回路の一例を示す系統図である。
【図６】逆スクランブル回路の一例を示す系統図である。
【図７】ＴＲＳ検出回路とＳＰ変換回路の一例を示す系統図である。
【図８】ＳＤＩフォーマットの一例を示す図である。
【図９】補助信号パケットの一例を示す図である。
【図１０】無信号検出回路の一例を示す系統図である。
【図１１】自動入力選択装置の一例を示す系統図である。
【符号の説明】
１０  受信装置
２０  ＳＤＩ受信回路
４０  量子化帰還回路
６０  クロック再生回路
９０  ＴＲＳ検出回路
１００  シリアル／パラレル変換回路
１２０  無信号検出装置
１３０  無信号検出回路
１７０  表示部
【図１】
0003562021.tif 000002
【図２】
0003562021.tif 000003
【図３】
0003562021.tif 000004
【図４】
0003562021.tif 000005
【図５】
0003562021.tif 000006
【図６】
0003562021.tif 000007
【図７】
0003562021.tif 000008
【図８】
0003562021.tif 000009
【図９】
0003562021.tif 000010
【図１０】
0003562021.tif 000011
【図１１】
0003562021.tif 000012